(57)【要約】      （修正有）【課題】組み立て工程において、角筒体を形成する側面板が内反りしにくく、角筒体の一端部を綺麗に封止できるシールエンド方式の包装箱を提供する。【解決手段】角筒体を形成する側面板１４，１６，１８，２０を備える。第一の側面板２０の一端部に、角筒体の一端部を塞ぐ蓋片６２を備える。蓋片６２の先端部に開封片６６を備える。開封片６６は、第一の破断線７０により、蓋片６２と連続する第一開封部６６ａとそれ以外の第二開封部６６ｂとに区分される。第二の側面板１６は、蓋片６２が設けられた側の開封用端辺４０に突出片を備える。組み立て状態で、突出片４２は蓋片６２の内側に重なり、開封片６６は第二の側面板１６の表面側に重なり、第二開封部６６ｂが第二の側面板１６の表面に糊付けされる。突出片４２は、先端部が第一の側面板２０の内面に係止されることによって、第一の側面板２０と第二の側面板１６の間隔を一定に制限する。【選択図】図２
0003206257.tif 000002
【実用新案登録請求の範囲】
【請求項１】
一枚の箱体形成片から成り、前記箱体形成片は、互いに平行に連接され、組み立て状態で角筒体を形成する複数の側面板と、前記複数の側面板の中の１つである第一の側面板の、前記連接方向に対して直角方向の端部に延設された蓋片と、前記蓋片の延出方向の端部に延設され開封片と、組み立て状態で前記第一の側面板と対向する第二の側面板の、前記連接方向に対して直角方向の端辺であって、前記蓋片が設けられた側の開封用端辺に延設された突出片と、前記開封片を、前記蓋片と連続する第一開封部と前記第一の部分以外の第二開封部とに区分する第一の破断線とを有し、
組み立て状態で、前記蓋片は前記角筒体の一端部を塞ぎ、前記突出片は前記蓋片の内側に重なり、前記開封片は、前記第二の側面板の表面側に重なるとともに、前記第二開封部が前記第二の側面板の表面に糊付けされ、前記突出片の先端部が前記第一の側面板の内面に近接して対向し、前記第一の側面板と前記第二の側面板の間隔を一定に制限することを特徴とする包装箱。
【請求項２】
前記第二の側面板の内側には、前記開封用端辺の、少なくとも前記突出片が延設された範囲を含む部分と、略Ｕ字状の第二の破断線とで囲まれた切り離し部が設けられ、
組み立て状態で、前記突出片は前記前記蓋片の内側に重なり、前記切り離し部は前記第一開封部の内側に重なり、前記突出片と前記切り離し部のうちの少なくとも一方が、重なった相手方に糊付けされている請求項１記載の包装箱。
【請求項３】
前記第一開封部には、使用者が、前記第一開封部を前記第二開封部から引き離すときに指を添える指掛け部が設けられている請求項１又は２記載の包装箱。
【請求項４】
前記開封片は、前記第一の破断線により、基端部側の前記第一開封部及び先端部側の前記第二開封部に区分され、
前記指掛け部は、前記第一の破断線の途中に形成された透孔の周縁部である請求項３記載の包装箱。
【考案の詳細な説明】
【技術分野】
【０００１】
本考案は、蓋片から連続する開封片が側面板の外面に糊付けされることによって角筒体の一端部が封止されるシールエンド方式の包装箱に関する。
【背景技術】
【０００２】
従来、特許文献１の図１、図２に開示されているように、板紙を打ち抜いた１つの箱体形成片を組み立てることによって形成されたカートンであって、右側面板、正面板、左側面板及び背面板から成る角筒体と、背面板の端部に延設されて角筒体の一端部を塞ぐ天面板と、天面板の先端部に延設された蓋面板と、蓋面板の先端部に破断予定線を介して延設された剥離予定帯とを備えたカートンがあった。このカートンを組み立てるときは、角筒体を形成した後、天面板の基部を折り曲げて角筒体の一端部を塞ぎ、蓋面板の基部を折り曲げて蓋面板及び剥離予定帯を正面板の外面側に重ね、剥離予定帯を正面板に貼着する。開封するときは、剥離予定帯を表面板から剥離させるように引っ張って破断予定線を破断させ、天面板を開閉可能にする。再封するときは、天面板で角筒体の一端部を塞ぐとともに、蓋面板を正面板の内側に差し込んで保持させる。
【先行技術文献】
【特許文献】
【０００３】
【特許文献１】特開２０１０−８２７１５号公報
【考案の概要】
【考案が解決しようとする課題】
【０００４】
特許文献１のカートンは、組み立て工程において、角筒体の一端部を天面板で塞いで剥離予定帯を正面板の外面に貼着するとき、正面板が外側から押されて、内側に湾曲する内反りが生じる。特に、正面板の端部を支持する左側特面板と右側面板と間隔が長い場合や、箱体形成片が柔らかい素材で形成されている場合は、正面板の剛性が低いため内側に容易に撓み、剥離予定帯を正面板で支持できず、綺麗に重ねて強固に貼着させるのが難しいという問題があった。
【０００５】
本考案は、上記背景技術に鑑みて成されたものであり、組み立て工程において、角筒体を形成する側面板が内反りしにくく、角筒体の一端部を綺麗に封止できるシールエンド方式の包装箱を提供することを目的とする。
【課題を解決するための手段】
【０００６】
本考案は、一枚の箱体形成片から成り、前記箱体形成片は、互いに平行に連接され、組み立て状態で角筒体を形成する複数の側面板と、前記複数の側面板の中の１つである第一の側面板の、前記連接方向に対して直角方向の端部に延設された蓋片と、前記蓋片の延出方向の端部に延設され開封片と、組み立て状態で前記第一の側面板と対向する第二の側面板の、前記連接方向に対して直角方向の端辺であって、前記蓋片が設けられた側の開封用端辺に延設された突出片と、前記開封片を、前記蓋片と連続する第一開封部と前記第一の部分以外の第二開封部とに区分する第一の破断線とを有し、
組み立て状態で、前記蓋片は前記角筒体の一端部を塞ぎ、前記突出片は前記蓋片の内側に重なり、前記開封片は、前記第二の側面板の表面側に重なるとともに、前記第二開封部が前記第二の側面板の表面に糊付けされ、前記突出片の先端部が前記第一の側面板の内面に近接して対向し、前記第一の側面板と前記第二の側面板の間隔を一定に制限する包装箱である。
【０００７】
前記第二の側面板の内側には、前記開封用端辺の、少なくとも前記突出片が延設された範囲を含む部分と、略Ｕ字状の第二の破断線とで囲まれた切り離し部が設けられ、組み立て状態で、前記突出片は前記前記蓋片の内側に重なり、前記切り離し部は前記第一開封部の内側に重なり、前記突出片と前記切り離し部のうちの少なくとも一方が、重なった相手方に糊付けされていることが好ましい。
【０００８】
また、前記第一開封部には、使用者が、前記第一開封部を前記第二開封部から引き離すときに指を添える指掛け部が設けられていることが好ましい。この場合、前記開封片は、前記第一の破断線により、基端部側の前記第一開封部及び先端部側の前記第二開封部に区分され、前記指掛け部は、前記第一の破断線の途中に形成された透孔の周縁部により設けられるようにしてもよい。
【考案の効果】
【０００９】
本考案の包装箱は、組み立て工程において、角筒体の一端部を蓋片で塞いで開封片を第二の側面板の外面に糊付けするため、第二の側面板１６が外から押圧されたとき、突出片の先端部が第一の側面板の内面に係止され、前記第二の側面板の内反り量が一定以下に制限される。したがって、開封片を第二の側面板に綺麗に重ねて強固に糊付けすることができる。
【図面の簡単な説明】
【００１０】
【図１】本考案の包装箱の一実施形態の組み立て状態を示す斜視図である。
【図２】この実施形態の包装箱の箱体形成片を表面側から見た展開図である。
【図３】この実施形態の包装箱の組み立て工程を示す斜視図である。
【図４】この実施形態の包装箱の組み立て工程を示す斜視図である。
【図５】この実施形態の包装箱を開封した状態を示す斜視図である。
【図６】この実施形態の包装箱を再封した状態を示す斜視図である。
【考案を実施するための形態】
【００１１】
以下、本考案の包装箱の一実施形態について、図面に基づいて説明する。この実施形態の包装箱１０は、図１に示すように略直方体の箱であり、厚紙等で成る一枚の箱体形成片１２を組み立てることによって形成される。
【００１２】
箱体形成片１２は、図２に示すように、互いに平行に連接された４つの側面板１４，１６，１８，２０を有している。４つの側面板１４，１６，１８，２０は、連接方向と直交する幅方向の長さが同じで、連接方向の長さは、側面板１４，１８が短くて互いにほぼ等しく、側面板１６，２０が長くて互いにほぼ等しい。さらに、連接方向の側面板２０側の端部には、組み立て状態で側面板１４の裏面の端部に糊付けされる糊付け片２２が延設されている。４つの側面板１４，１６，１８，２０及び糊付け片２２は、各々折罫線２４，２６，２８，３０で区切られている。以下、側面板２０を第一の側面板２０と称し、組み立て状態で第一の側面板２０に対向する側面板１６を第二の側面板１６と称する。
【００１３】
側面板１４の、連接方向に対して直角方向の一端部には、台形状のサイドフラップ３２が延設され、折罫線３４で側面板１４と区切られている。サイドフラップ３２の延出方向長さは、第二の側面板１６の連接方向長さの約1/6である。また、側面板１４の反対側の端部には、サイドフラップ３６が延設され、折罫線３８で側面板１４と区切られている。
【００１４】
第二の側面板１６の、折罫線３４に連続する開封用端辺４０の中央部には、略長方形の突出片４２が延設され、折罫線４４で第二の側面板１６と区切られている。突出片４２の延出方向長さは、側面板１４の連接方向長さとほぼ同じで、突出片４２の幅は、第二の側面板１６の連接方向長さの約4/6である。第二の側面の内側には、開封用端辺４０の、少なくとも突出片４２が延設された範囲を含む部分４０ａと、略Ｕ字状の第二の破断線４６とで囲まれた切り離し部４８が設けられている。
【００１５】
また、第二の側面板１６の、開封用端辺４０と反対側の端部には、台形状の外側底片５０が延設され、折罫線５２で第二の側面板１６と区切られている。外側底片５０の延出方向長さは、側面板１４の連接方向長さと同じか、又は僅かに短い。
【００１６】
側面板１８の、開封用端辺４０に連続する一端部には、台形状のサイドフラップ５４が延設され、折罫線５６で側面板１８と区切られている。サイドフラップ５４の延出方向長さは、第二の側面板１６の連接方向長さの約1/6である。また、側面板１８の反対側の端部には、サイドフラップ５８が延設され、折罫線６０で側面板１８と区切られている。
【００１７】
第一の側面板２０の、折罫線５６に連続する端部には、略長方形の蓋片６２が延設され、折罫線６４で第一の側面板２０と区切られている。蓋片６２の延出方向長さは、側面板１４の連接方向長さとほぼ同じである。蓋片６２の延出方向の端部には、略長方形の開封片６６が延設され、折罫線６８で蓋片６２と区切られている。開封片６６は、開封片６６を横切る第一の破断線７０により、蓋片６２に連続する基端部側の部分である第一開封部６６ａと先端部側の部分である第二開封部６６ｂとに区分されている。さらに、第一の破断線７０の中央部に異形の楕円状の透孔７２が形成され、第一開封部６６ａの端部に、透孔７２の周縁部で成る指掛け部７４が設けられている。詳しくは後で説明するが、指掛け部７４は、包装箱１０を開封するとき、第一開封部６６ａを第二開封部６６ｂから引き離すため、使用者が指を添える部分で、その目印となる「開封口」の文字等が印刷されている。
【００１８】
また、第一の側面板２０の、蓋片６２と反対側の端部には、台形状の内側底片７６が延設され、折罫線７８で第一の側面板２０と区切られている。内側底片７６の延出方向長さは、外側底片５０より僅かに短い。
【００１９】
次に、包装箱１０の組み立て方法の一例を説明する。ここでは、図２に示す箱体形成片１２の表面が凸になる折り方を正折り、裏面が凸になる折り方を逆折りと称する。
【００２０】
まず、折罫線３０を正折りして、糊付け片２２を第一の側面板２０に重ね、糊付け片２２の表面に糊を塗布する。そして、折罫線２６を正折りして側面板１４及び第二の側面板１６を側面板１８及び第一の側面板２０に重ね、糊付け片２２を側面板１４の裏面に糊付けする。箱体形成片１２は、この折り畳まれた状態で出荷される。
【００２１】
次に、商品等の被包装物を包装する工場等で立体的に組み立てる。まず、折罫線２４，２６，２８，３０を各々９０度に正折りし、角筒体８０を形成する。その後、角筒体８０の一端部を塞ぐため、折罫線３８，６０でサイドフラップ３６，５８を各々９０度に正折りし、折罫線７８で内側底片７６を９０度に正折りする。その後、外側底片５０の裏面中央部に糊を塗布し、外側底片５０を折罫線５２で９０度に正折りし、内側底片７６の表面に重ねて糊付けする。これで、図３に示すように、外側底片５０と内側底片７６が一体になった底部８２が形成され、角筒体８０の一端部が閉鎖された状態になる。そして、この状態で、角筒体８０の開放している側の端部から被包装物を中に入れる。
【００２２】
被包装物を入れると、角筒体８０の開放端を塞ぐため、図４に示すように、折罫線３４，５６でサイドフラップ３２，５４を９０度に正折りする。また、折罫線４４で突出片４２を９０度に正折りし、突出片４２の先端部を第一の側面板２０の折罫線６４の位置に近接又は当接させる。
【００２３】
さらに、蓋片６２の裏面中央部に糊８４を塗布し、開封片６６の第一開封部６６ａの裏面中央部（第一の破断線７０及び指掛け部７４から離れた位置）及び第二開封部６６ｂの裏面中央部（第一の破断線７０から離れた位置）にそれぞれ糊８６，８８を塗布する。そして、蓋片６２を折罫線６４で９０度に正折りし、突出片４２の表面に重ねて糊付けするとともに、開封片６６を折罫線６８で９０度に正折りし、第一開封部６６ａを切り離し部４８の表面に重ねて糊付けし、第二開封部６６ｂを切第二の側面板１６の表面（切り離し部以外の部分の表面）に重ねて糊付けする。
【００２４】
蓋片６２を突出片４２の表面に重ねる操作は、第一の側面板２０の折罫線６４に近い部分を軽く押し込みながら行うとよい。そうすると、突出片４２の先端部が第一側面板２０と蓋片６２の境界部に係止され、突出片４２が位置決めされるので、突出片４２の外面に蓋片６２を綺麗に重ねることができ、強固に糊付けできる。また、開封片６６（第一及び第二開封部６６ａ，６６ｂ）を第二の側面板１６に重ねるときは、第二の側面１６が外から押圧されると、突出片４２の先端部が第一の側面板の内面に係止され、第二の側面板１６の内反り量が一定以下に制限されるので、第二の側面板１６の外面に開封片６６を綺麗に重ねることができ、強固に糊付けできる。これで被包装物の包装作業が終了し、図１に示す組み立て状態になる。
【００２５】
使用者が包装箱１０の蓋部を開封するときは、まず、第一開封部６６ａの指掛け部７４に指を掛け、第一開封部６６ａを第二開封部６６ｂから引き離す方向に力を加えて第一の破断線７０を破断させる。すると、第二開封部６６ｂは、第二の側面板１６に糊付けされているので、そのままの位置に残り、第二開封部６６ｂから分離した第一開封部６６ｂは、蓋片６２と一体に開閉可能になる。また、第一の破断線７０が破断するとき、第二の破断線４６も一緒に破断し、切り離し部４６及び突出片４２は、第二の側面板１６から分離し、第一開封部６６ａ及び蓋片６２と一体に開閉可能になる。そして、この開閉可能になった蓋部を引き上げ、サイドフラップ３２，５４を引き上げると、図５に示すように、角筒体８０の一端部が広く開放し、中の被包装物を取り出すことができる。
【００２６】
その後、包装箱１０を再封するときは、まず、サイドフラップ３２，５４を折罫線３４，５６で９０度に正折りする。そして、図６に示すように、蓋片６２を折罫線６４で９０度に正折りして角筒体８０の開口端を塞ぐとともに、第一開封部６６ａを折罫線６８で９０度に正折りして第二の側面板１６の内側に差し込んで係合させると、再封することができる。この再封した状態で、第二の側面板１６の、切り離し部４８が切り離されてできた窓部から、指掛け部７４及び「開口部」等の表示が外側に露出する。
【００２７】
以上説明したように、包装箱１０は、組み立て工程において、角筒体８０の一端部を蓋片６２で塞いで開封片６６を第二の側面板１６の外面に糊付けするため、第二の側面板１６が外から押圧されたとき、突出片４２の先端部が第一の側面板２０の内面に係止され、第一の側面板２０と第二の側面板１６の間隔を一定にして支持し、第二の側面板１６がほとんど内反りしない。したがって、開封片６６を第二の側面板１６に綺麗に重ねて強固に糊付けすることができる。
【００２８】
また、第一開封部６６ａに指掛け部７４が設けられているので開封が容易である。さらに、一旦開封すると、第二の側面板１６の切り離し部４８が切り離されて窓部ができ、再封した状態で指掛け部７４及び「開口部」等の表示が外側に露出するので、次に蓋部を開く操作を容易に行うことができる。
【００２９】
なお、本考案の包装箱は、上記実施形態に限定されるものではなく、例えば、突出片は、第二の側面板を内反りさせる向きの外力が加わったとき、突出片の先端部で第一の側面板の内面を係止し、第二の側面板の内反り量を一定以下に制限できるものであればよく、大きさや形状は自由に変更することができる。
【００３０】
開封片は、第一の破断線により、蓋片と連続する第一開封部と第一の部分以外の第二開封部とに区分された構造であればよく、第一及び第二開封部の形状や大きさは、上記の第一及び第二開封部６６ａ，６６ｂの形状や大きさいに限定されない。また、指掛け部の構造は適宜変更することができ、必要に応じて指掛け部自体を省略してもよい。
【００３１】
包装箱１０の場合、開封後の蓋部の一体性を高くするため、切り離し部４８を第一開封部６６ａに糊付けし、さらに突出片４２も蓋片６２に糊付けしている。しかし、切り離し部４８及び突出片４２が包装箱１０から分離してゴミになるのを防ぐだけでよければ、どちらか一方の糊付けを省略してもよい。また、切り離し部及び第二破断線の形状は、適宜変更することができ、必要に応じて第二の破断線自体を省略し、第二の側面板に切り離し部を設けない構造にしてもよい。第二の破断線を省略した場合、開封後に突出片が第二の側面板から分離しないので、突出片を蓋片に糊付けする作業が不要になる。
【００３２】
その他、互いに連接された各側面板の大きさ、蓋片を設ける側面板の位置、底部の構造等は、自由に変更することができる。
【符号の説明】
【００３３】
１０  包装箱
１２  箱体形成片
１４，１８  側面板
１６  第二の側面板
２０  第一の側面板
４０  開封用端辺
４０ａ  部分
４２  突出片
４６  第二の破断線
４８  切り離し部
６２  蓋片
６６  開封片
６６ａ  第一開封部
６６ｂ  第二開封部
７０  第一の破断線
７２  透孔
７４  指掛け部
８０  角筒体
【図１】
0003206257.tif 000003
【図２】
0003206257.tif 000004
【図３】
0003206257.tif 000005
【図４】
0003206257.tif 000006
【図５】
0003206257.tif 000007
【図６】
0003206257.tif 000008